(57)【特許請求の範囲】
【請求項１】
建物の開口部の戸枠体に回動戸板及び可動戸板を折曲連結部により相互に折曲回動自在に連結してなる折れ戸体の回動戸板をピンヒンジ部により開閉回動自在に配設すると共に該可動戸板を案内部により該戸枠体に対して開閉移動自在に配設してなり、上記回動戸板及び可動戸板のそれぞれの突き合わせ端部にそれぞれ可動部材を進退自在に配設し、該各可動部材を弾圧保持可能な弾圧保持機構を設けてなり、上記各可動部材間を閉塞可能な嵌着機構を設け、該嵌着機構として、該各可動部材の突き合わせ端部にそれぞれ凹状部を形成し、該各凹状部に弾性部材を設けると共に該一方の弾性部材を他方の凹状部に嵌着可能に形成してなることを特徴とする折れ戸安全装置。
【請求項２】
上記弾圧保持機構として、上記回動戸板及び可動戸板のそれぞれの突き合わせ端部にそれぞれ可動部材を進退自在に保持可能な保持軸を設けてなることを特徴とする請求項１記載の折れ戸安全装置。
【請求項３】
上記各可動部材を弾圧可能な板バネ部材を設けてなることを特徴とする請求項２記載の折れ戸安全装置。
【発明の詳細な説明】
【０００１】
【発明の属する技術分野】
本発明は例えば公衆トイレ、浴室、勝手口等の建物の開口部に用いられる折れ戸安全装置に関するものである。
【０００２】
【従来の技術】
従来この種の折れ戸として、建物の開口部の戸枠体に回動戸板及び可動戸板を折曲連結部により相互に折曲回動自在に連結してなる折れ戸体の回動戸板をピンヒンジ部により開閉回動自在に配設すると共に該可動戸板を案内部により該戸枠体に対して開閉移動自在に配設してなる構造のものが知られている。
【０００３】
【発明が解決しようとする課題】
しかしながらこの従来構造の場合、折り戸の折曲開閉回動動作時において、上記回動戸板及び可動戸板のそれぞれの突き合わせ端部間で手指を挟み込んで詰めるおそれがあるという不都合を有している。
【０００４】
【課題を解決するための手段】
本発明はこれらの課題を解決することを目的とし、本発明のうちで、請求項１記載の発明は、建物の開口部の戸枠体に回動戸板及び可動戸板を折曲連結部により相互に折曲回動自在に連結してなる折れ戸体の回動戸板をピンヒンジ部により開閉回動自在に配設すると共に該可動戸板を案内部により該戸枠体に対して開閉移動自在に配設してなり、上記回動戸板及び可動戸板のそれぞれの突き合わせ端部にそれぞれ可動部材を進退自在に配設し、該各可動部材を弾圧保持可能な弾圧保持機構を設けてなり、上記各可動部材間を閉塞可能な嵌着機構を設け、該嵌着機構として、該各可動部材の突き合わせ端部にそれぞれ凹状部を形成し、該各凹状部に弾性部材を設けると共に該一方の弾性部材を他方の凹状部に嵌着可能に形成してなることを特徴とする折れ戸安全装置にある。
【０００５】
又、請求項２記載の発明は、上記弾圧保持機構として、上記回動戸板及び可動戸板のそれぞれの突き合わせ端部にそれぞれ可動部材を進退自在に保持可能な保持軸を設けてなることを特徴とするものであり、又、請求項３記載の発明にあっては、上記各可動部材を弾圧可能な板バネ部材を設けてなることを特徴とするものである。
【０００６】
【発明の実施の形態】
図１乃至図１２は本発明の実施の形態例を示し、１は戸枠体、２は折れ戸体であって、戸枠体１は建物の開口部に取り付けられ、戸枠体１に回動戸板３及び可動戸板４を折曲連結部５により相互に折曲回動自在に連結してなる折れ戸体２の回動戸板３をピンヒンジ部６により開閉回動自在に配設すると共に可動戸板３を案内部７により戸枠体１に対して開閉移動自在に配設して構成している。この場合、詳細を図示省略しているが、案内部７は戸枠体１の上枠部に開口部に沿って案内レール部を設け、この案内レール部に案内ロールにより移動体を移動自在に設け、この移動体に可動戸板４に設けたピン体を旋回自在に枢着して構成している。
【０００７】
そして、上記回動戸板３及び可動戸板４のそれぞれの突き合わせ端部に可動部材８・８を進退自在に配設し、各可動部材８・８を弾圧保持可能な弾圧保持機構９・９を設けて構成している。
【０００８】
この場合、上記弾圧保持機構９・９として、上記回動戸板３及び可動戸板４のそれぞれの突き合わせ端部に可動部材８・８を進退自在に保持可能な複数個の保持軸１０・１０を設けると共に可動部材８・８を弾圧可能な板バネ部材１１・１１を設けている。
【０００９】
又、この場合、上記回動戸板３及び可動戸板４のそれぞれの突き合わせ端面に固定縦桟９ａ・９ａを取付け、固定縦桟９ａ・９ａに複数個の保持軸１０・１０をボルト１０ａ・１０ａにより取付固定し、可動部材８・８の裏面に複数個の支持枠１２を固定し、支持枠１２に保持軸１０・１０を摺動自在に挿通可能な摺動穴１２ａを形成し、保持軸１０・１０に支持枠１２の内面に当接可能なストッパー部１０ｂ・１０ｂを形成し、この場合、上記板バネ部材１１・１１を基板の両端部に折曲状の自由端部を有する形状に形成し、固定縦桟９ａ・９ａに複数個の板バネ部材１１・１１の基部を溶接により固着し、両自由端部を可動部材８・８の裏面に弾圧接触させて構成している。しかして、可動部材８・８は回動戸板３及び可動戸板４の突き合わせ端面に対して進退自在に弾圧保持される。
【００１０】
しかして、図６、図８及び図９の状態から図１０、図１１及び図１２の状態へと可動部材８・８は後退することになると共に図１０、図１１及び図１２から図６、図８及び図９の状態へと可動部材８・８は進出して元の位置に復帰することになり、
【００１１】
又、この場合、上記可動部材８・８間を閉塞可能な嵌着機構１３が設けられ、即ち、上記一方の可動部材８及び他方の可動部材８の突き合わせ端部にそれぞれ凹状部８ａ・８ａを形成し、この一方の凹状部８ａに四角管状の上記弾性部材１４ａを取り付けると共に他方の凹状部８ａに板状の弾性部材１４ｂを取り付け、折れ戸体２の閉状態において、弾性部材１４ａが他方の凹状部８ａに嵌着するように構成している。
【００１２】
この実施の形態例は上記構成であるから、図１、図２の閉状態から折れ戸体２を引動すると、回動戸板３はピンヒンジ部６により手前側に回動すると共に可動戸板４は案内部７により案内されて開口部に沿って移動し、図３、図４の回動戸板３及び可動戸板４が手前側に折曲された開状態となり、又、図１、図２の閉状態から折れ戸体２を奥側に押動すると、回動戸板３はピンヒンジ部６により奥側に回動すると共に可動戸板４は案内部７により案内されて開口部に沿って移動し、図５の回動戸板３及び可動戸板４が奥側に折曲された開状態となり、即ち、手前側及び奥側の両方向に折曲可能な両開き構造となり、この際、上記回動戸板３及び可動戸板４のそれぞれの突き合わせ端部にそれぞれ可動部材８・８を進退自在に配設し、各可動部材８・８を弾圧保持可能な弾圧保持機構９を設けてなるから、回動戸板３及び可動戸板４のそれぞれの突き合わせ端部間に誤って手指を挟み込んでしまったとしても、図１０、図１１及び図１２の如く、各可動部材８・８は後退することになり、手指の挟み込みによるけがを未然に防止することができ、又、手指を取り外すと、図６、図８及び図９の如く、各可動部材８・８は進出して元の位置に復帰することになり、折れ戸体２の折曲回動動作時における指詰めによるけがを未然に防止することができて使用の安全性を高めることができる。
【００１３】
又、この場合、上記弾圧保持機構９として、上記回動戸板３及び可動戸板４のそれぞれの突き合わせ端部に可動部材８・８を進退自在に保持可能な保持軸１０を設けると共に各可動部材８・８を弾圧可能な板バネ部材１１を設けてなるから、各可動部材８・８の進退動作を良好に行うことができ、又、この場合、上記各可動部８・８材の突き合わせ端部に弾性部材１４を設けてなるから、指詰めによるけがの発生を一層確実に防止することができ、又、この場合、上記可動部材８・８間を閉塞可能な嵌着機構１３を設けてなるから、回動戸板３及び可動戸板４の突き合わせ端部間を確実に閉塞することができる。
【００１４】
尚、本発明は上記実施の形態例に限られるものではなく、例えば、戸枠体１、折れ戸体２、弾圧保持機構９の構造等は適宜設計して変更されるものである。
【００１５】
【発明の効果】
本発明は上述の如く、請求項１記載の発明にあっては、上記回動戸板及び可動戸板のそれぞれの突き合わせ端部にそれぞれ可動部材を進退自在に配設し、各可動部材を弾圧保持可能な弾圧保持機構を設けてなるから、回動戸板及び可動戸板のそれぞれの突き合わせ端部間に誤って手指を挟み込んでしまったとしても、各可動部材は後退することになり、手指の挟み込みによるけがを未然に防止することができ、又、手指を取り外すと、各可動部材は進出して元の位置に復帰することになり、折れ戸体の折曲回動動作時における指詰めによるけがを未然に防止することができて使用の安全性を高めることができ、かつ、上記各可動部材間を閉塞可能な嵌着機構を設け、嵌着機構として、各可動部材の突き合わせ端部にそれぞれ凹状部を形成し、各凹状部に弾性部材を設けると共に該一方の弾性部材を他方の凹状部に嵌着可能に形成してなるから、指詰めによるけがの発生を一層確実に防止することができると共に回動戸板及び可動戸板の突き合わせ端部間を確実に閉塞することができる。
【００１６】
又、請求項２記載の発明にあっては、上記弾圧保持機構として、上記回動戸板及び可動戸板のそれぞれの突き合わせ端部にそれぞれ可動部材を進退自在に保持可能な保持軸を設けてなることから、各可動部材の進退動作を良好に行うことができ、又、請求項３記載の発明にあっては、上記各可動部材を弾圧可能な板バネ部材を設けてなるから、可動部材の進退動作を一層良好に行うことができる。
【００１７】
以上の如く、所期の目的を充分達成することができる。
【図面の簡単な説明】
【図１】  本発明の実施の形態例の閉状態の全体正面図である。
【図２】  本発明の実施の形態例の閉状態の全体平面図である。
【図３】  本発明の実施の形態例の開状態の全体正面図である。
【図４】  本発明の実施の形態例の開途中状態の全体平面図である。
【図５】  本発明の実施の形態例の開途中状態の全体平面図である。
【図６】  本発明の実施の形態例の閉状態の部分縦断面図である。
【図７】  本発明の実施の形態例の部分分解斜視図である。
【図８】  本発明の実施の形態例の閉状態の部分平断面図である。
【図９】  本発明の実施の形態例の閉状態の部分平断面図である。
【図１０】  本発明の実施の形態例の部分縦断面図である。
【図１１】  本発明の実施の形態例の開状態の部分平断面図である。
【図１２】  本発明の実施の形態例の開状態の部分平断面図である。
【符号の説明】
１  戸枠体
２  折れ戸体
３  回動戸板
４  可動戸板
６  ピンヒンジ部
７  案内部
８  可動部材
８ａ  凹状部
９  弾圧保持機構
１０  保持軸
１１  板バネ部材
１３  嵌着機構
１４ａ  弾性部材
１４ｂ  弾性部材
【図１】
0003743824.tif 000002
【図２】
0003743824.tif 000003
【図３】
0003743824.tif 000004
【図４】
0003743824.tif 000005
【図５】
0003743824.tif 000006
【図６】
0003743824.tif 000007
【図７】
0003743824.tif 000008
【図８】
0003743824.tif 000009
【図９】
0003743824.tif 000010
【図１０】
0003743824.tif 000011
【図１１】
0003743824.tif 000012
【図１２】
0003743824.tif 000013